(57)【要約】【課題】  蓋の差込片を袋体の内側へ差し込んでも蓋が落ち込まない構造にし、美的に向上させた蓋付き手提げ袋を提供する。【解決手段】  前後で対面する前壁と背壁の両側へ一方と他方の襠壁を延設して袋体を形成し、該袋体の天面を袋開口部とし、蓋板によって閉じられる構造と成り、該蓋板の前後辺に蓋折線を介して延設されて折垂らされた差込片を該袋体の内面へ差込み、蓋板が該袋体の中へ落ち込まない構造として、蓋板の横側縁を突出させて凸縁を形成し、背壁の天縁に隣接された他方の蓋折線をヒンジ部とし、該ヒンジ部を介して延設された蓋板の前辺である一方の蓋折線を介して折垂らされた一方の差込片を部分的に切り抜いて跨ぎ片を設け、該跨ぎ片は前壁の天縁を跨ぐ構造を成し、該跨ぎ片に一方の固定具を設け、該前壁の外面に他方の固定具を設ける。【選択図】  図１
2017052536.tif 000002
【特許請求の範囲】
【請求項１】
前後で対面する前壁と背壁の両側へ一方と他方の襠壁を延設して形成した略矩形筒の下端を底板で塞いで袋体を形成し、該袋体の天面は開口しており、該開口領域を袋開口部とし、該袋開口部は蓋板によって閉じられる構造を成し、該蓋板の前後辺に一方と他方の蓋折線を介して延設されて折垂らされた一方と他方の差込片を該袋体の内面へ差込み、該蓋板が該袋体の中へ落ち込まない構造にしたことを特徴とする蓋付き手提げ袋。
【請求項２】
蓋板が該袋体の中へ落ち込まない構造として、蓋板の横側縁を突出させて凸縁を形成し、該凸縁が襠壁の天縁に乗ることで落ち込みを防止したことを特徴とする請求項１記載の蓋付き手提げ袋。
【請求項３】
蓋板が該袋体の中へ落ち込まない構造として、背壁の天縁に隣接された他方の蓋折線をヒンジ部とし、該ヒンジ部を介して延設された蓋板の前辺である一方の蓋折線を介して折垂らされた一方の差込片を部分的に切り抜いて跨ぎ片を設け、該跨ぎ片の上辺基部は該一方の蓋折線に延設されており、該跨ぎ片が前壁の天縁を跨いた状態を固定するために該跨ぎ片に一方の固定具を設け、該前壁の外面に他方の固定具を設けたことを特徴とする請求項１或いは請求項２記載の蓋付き手提げ袋。
【請求項４】
袋体を手提げにする構造として、前壁と背壁の各々に一方と他方の壁穴を開けて、該壁穴に紐を通し、該紐の両端に玉結びを形成して該壁穴から該紐が抜け出るのを防止する構造にし、該壁穴は出壁穴と入壁穴の二箇所ずつのペアで設けられており、前壁の紐通し構造は内面に設けられた一方の玉結びから一方の出壁穴を通して外に出た紐を隣の一方の入壁穴から袋体の中へ通し入れた紐を他方の入壁穴から外へ出して隣の他方の出壁穴から内面へ入れた紐の端に他方の玉結びを形成して抜け出るのを防止し、背壁の紐通し構造は該前壁と面対象の構造で行うことを特徴とする請求項１記載の蓋付き手提げ袋。
【発明の詳細な説明】
【技術分野】
【０００１】
本発明は、紙製の蓋付き手提げ袋に関する物である。
【背景技術】
【０００２】
従来の蓋付き手提げ袋は、文献１で襠壁上縁に乗せた背面壁延設蓋の上へ正面壁延設蓋を乗せて蓋をする構造の物、文献２で紙袋の正面外へ出して垂らした蓋のスリットに紐を通して蓋を固定する構造の物、文献３で紙袋の中へ垂らした蓋を収納物の上へ被せて隠す構造の物、文献４で天地二箇所ずつの壁穴を開けて把手を取り付けた構造の物、文献５で重なり合った蓋をマジックテープ（登録商標）で固定する構造の物、文献６で切り抜きスロットへ対岸の紐を嵌め込んで固定する構造の物、文献７で蓋止溝穴へ紐を通して固定する構造の物、文献８で口部長手から両横へ突出した三角形状部を折垂らして蓋閉じ固定をする構造の物であった。
【先行技術文献】
【特許文献】
【０００３】
【特許文献１】実開昭６３−１６９４５１号
【特許文献２】実開平３−８４７５４号
【特許文献３】実開平６３−５９８４１号
【特許文献４】特開平１１−１１３６１６号
【特許文献５】実開平２−１５４３５号
【特許文献６】特開平２−８７４０号
【特許文献７】実開昭６１−１６６９２１号
【特許文献８】実登録３１２５９７０号
【発明の概要】
【発明が解決しようとする課題】
【０００４】
従来の技術は、文献１の襠壁上縁に乗せた背面壁延設蓋の上へ正面壁延設蓋を乗せて蓋をする構造の物は正面と背面の双方の壁から蓋を延設する必要があり、文献２の紙袋の正面外へ蓋を出して垂らしてスリットに紐を通して蓋を固定する構造の物は蓋が正面に出ているので美観を損ねており、文献３の紙袋の中へ垂らした蓋を収納物の上へ被せて隠す構造の物は蓋が内部へ垂れ下がっているので美観を損ねており、文献４で天地二箇所ずつの壁穴を開けて把手を取り付けた構造の物は紐を通すための穴ではなく、文献５の重なり合った蓋をマジックテープ（登録商標）で固定する構造の物は正面と背面の双方の壁から蓋を延設する必要があり、文献６の切り抜きスロットへ対岸の紐を嵌め込んで固定する構造の物は切り抜きスロットが美観を損ねており、文献７の蓋止溝穴へ紐を通して固定する構造の物は蓋止溝穴が美観を損ねており、文献８の口部長手から両横へ突出した三角形状部を折垂らして蓋閉じ固定をする構造の物は三角形状部が美観を損ねているという問題点があった。本発明では前記のような問題の解決を課題にする。
【課題を解決するための手段】
【０００５】
前後で対面する前壁と背壁の両横側に互いに対面する襠壁を延設して形成された矩形筒の下面を底板で塞いで略直方体形状の袋体を設け、該袋体の天面開口領域を袋開口部とし、背壁の天辺と略同一線上に位置するヒンジ部を介して正面へ延設された蓋板の正面辺である一方の蓋折線を介して延設されて折垂らされた一方の差込片を袋体の内側（前壁の背面）へ差し込んで固定できる構造にする。該差込片は袋体の内側（前壁の背面）へ差し込まれているので該蓋板が該袋体の内側へ落ち込む恐れがあり、該蓋板の落ち込み防止構造として、蓋板の両横縁を少しだけ適宜に突出させて凸縁を形成する。正面に位置する一方の差込片を部分的に切り抜いて跨ぎ片を形成し、該跨ぎ片の基部は一方の蓋折線と同一線上の折線を介して蓋板から延設されている。該一方の差込片は前壁の内（背）側に差し込まれるが跨ぎ片は前壁の天縁を跨いで前壁の外（前）側に重なり合っており、該跨ぎ片に一方の固定具を設け、該前壁に他方の固定具を設けて、該重なり合っている領域を固定する。手提げにするための紐の両端は前壁と背壁の各々に開けられた壁穴に通して玉結びを形成して固定され、該壁穴は出壁穴と入壁穴の二穴ずつのペアで設けられており、玉結びに近い方の壁穴を出壁穴とし遠い方の壁穴を入壁穴として設ける。
【発明の効果】
【０００６】
蓋板の正面に延設された差込片を袋体の内側へ差し込んだことで該差込片は外から見えないので美的に向上できる。凸縁が襠壁の上縁に乗るので蓋板の落ち込みを防止できる。跨ぎ片が前壁の上縁を跨いでいるので蓋板の前辺の落ち込みを防止できる。一方と他方の固定具によって跨ぎ片と重なり合う前壁とを固定できる。壁穴を出壁穴と入壁穴との二箇所ずつで設けたことで紐端の玉結びの位置を下げることができ、差込片を袋体に差し込んだ状態で、入壁穴は該差込片と重なり合うが該玉結びに隣接している該出壁穴は該差込片と重なり合わないので該差込片の差込状態を該玉結びが妨害するのを回避できる。
【図面の簡単な説明】
【０００７】
【図１】蓋閉じ前状態の要部透視正面斜視図である。（実施例１）
【図２】蓋閉じ状態の要部透視正面斜視図である。
【図３】蓋閉じ状態の要部透視背面斜視図である。
【発明を実施するための形態】
【０００８】
蓋をすることで見た目の美しさを向上させ、蓋が袋体の中へ落ち込まない紙袋を実現した。
【実施例１】
【０００９】
図１は蓋閉じ前状態の要部透視正面斜視図である。袋体２は不織布や織り布や人工樹脂であっても良いが、紙であることが望ましく、前記紙の厚みや固さは限定ではなくて適宜に腰のある厚紙であっても良いが、従来から一般的に使用されている紙袋の紙素材であることが望ましい。蓋板４は該袋体２よりも適宜に硬い素材であることが望ましく、その素材は限定ではなく、プラスチックであっても良いが、適宜に腰のある厚紙であることが望ましく、前記厚紙の硬さは折線上で楽に折り曲げられる硬さであれば良く、具体的に述べるならば、官製ハガキよりも硬ければ目的を果たせるが、官製ハガキの倍以上の硬さであることが望ましい。
【００１０】
切線や角線は実線で表示し、透視線は破線で表示し、折線は完全に折れ曲がっていない場合のみ一点鎖線で表示するが完全に折れ曲がった状態では角線としての実線で表示し、谷折山折で表示する折り曲げ方向は袋体の外面からを基準にして表示し、図面の位置関係の表示は左右を横方向とし、上下を縦方向或いは天地とし、正面と背面を前後として表示する。紐３の素材と構造は限定ではなく、綿などの自然素材であっても良いが、摩耗強度（摩耗しにくい強さ）があって安価であることからアクリルやポリなどの人工樹脂製であることが望ましく、捻り紐であっても良いし、組紐であっても良い。
【００１１】
符号は数字で表示するが、同じ符号が複数ある場合は符号の後ろに一方をａ、他方をｂとする補助符号を表示することにし、該補助符号を表示しない場合は一方と他方の総称（双方を指示）とし、一方と他方の位置関係は限定ではないが、正面から見た状態での左を一方とし右を他方とするのであるが、前後方向では正面を一方とし背面を他方とし、一方と他方に準じて対となる符号では該補助符号の後ろに´を付けることにし、正面に対して背面が面対象で対となる場合は背面に位置する方を対として補助符号の後ろに´を付ける。
【００１２】
前後で対面して設けた前壁５と背壁６との両側へ左右で対面する一方の襠壁７ａと他方の襠壁７ｂとを延設して形成した略矩形筒の底面を底板８で塞いで略直方体の袋体２を形成し、該袋体２の天面開口領域を袋開口部９とする。
【００１３】
該袋開口部９と略同寸同形の矩形で蓋板４を設け、該蓋板４の前辺である一方の蓋折線１１ａを介して延設した一方の差込片１２ａを折垂らし、該蓋板４の背辺である他方の蓋折線１１ｂを介して延設した他方の差込片１２ｂ（図３で表示）を折垂らす。
【００１４】
他方の差込片１２ｂを袋体２の内部へ接着することで背壁６の天縁と略同一線上に位置する他方の蓋折線１１ｂをヒンジ部１３とし、該ヒンジ部１３を中心線として蓋板４は開閉する構造になる。
【００１５】
蓋板４の両横縁を適宜に少しだけ両横外側へ突出させて一方の凸縁１０ａと他方の凸縁１０ｂとを形成し、該凸縁１０の双方は襠壁７の上縁に僅かに乗る位置関係にあり、該襠壁７の上縁に該凸縁１０の領域が僅かに乗る位置関係にあることで、該蓋板４が袋体２の中へ落ち込み難くなる。
【００１６】
ヒンジ部１３を屈折させて蓋板４を閉じれば、正面に位置する一方の差込片１２ａは袋体２の内側へ差し込まれて固定される構造を成しており、該一方の差込片１２ａを部分的に切り抜いて跨ぎ片１４を形成し、該跨ぎ片１４の上辺である基部は一方の蓋折線１１ａと同一線の折線を介して延設されている。
【００１７】
該跨ぎ片１４の略中央に一方の固定具１５ａを取り付け、一方の差込片１２ａを差し込み終えた状態で該跨ぎ片１４と重なり合う前壁５の領域に他方の固定具１５ｂを取り付け、該一方の固定具１５ａと他方の固定具１５ｂとの固定によって該跨ぎ片１４は該前壁５に固定されて蓋板４の閉じ状態が固定される。
【００１８】
前壁５と背壁６の上部領域に紐３を通すための壁穴１６を設け、該壁穴１６は入壁穴１８と出壁穴１７とが隣り合うペアになって設けられており、該入壁穴１８と出壁穴１７との位置関係は限定ではないが天地で垂直に隣り合っていることが望ましく、下の壁穴１６を出壁穴１７とし、上の壁穴１６を入壁穴１８とする。
【００１９】
壁穴１６への紐通し構造を述べるならば、一方の紐３ａの一方の端に一方の玉結び１９ａを形成して、一方の出壁穴１７ａから袋体２の外へ出した一方の紐３ａの他方の端を、上隣の一方の入壁穴１８ａから中へ入れて、他方の入壁穴１８ｂから外へ出して、他方の出壁穴１７ｂから中へ入れた一方の紐３ａの他方の端に他方の玉結び１９ｂを形成して、一方の紐３ａの通し固定を終える。他方の紐３ｂでも前記の一方の紐３ａの紐通し構造と面対象の同じ構造で行う。
【００２０】
一方の入壁穴１８ａと他方の入壁穴１８ｂとの間に位置する紐３の中央領域は袋体２の中に入ってから袋開口部９の上へ抜け出ており、該上へ抜き出ている領域を把持域２０とし、一方の紐３ａの中央領域を一方の把持域２０ａとし、他方の紐３ｂの中央領域を他方の把持域２０ｂとする。
【００２１】
蓋板４の正面に位置する一方の紐３ａの中央領域は前壁５と一方の差込片１２ａとの間を上へ擦り抜けて一方の把持域２０ａを形成できるが、蓋板４の背部はヒンジ部１３になっていることから隙間が存在せず、他方の紐３ｂの中央領域を隙間から擦りぬけさせることができないので、該ヒンジ部１３の隣接領域に一方の紐蓋穴２１ａと他方の紐蓋穴２１ｂの二箇所開けて、該紐蓋穴２１双方に他方の紐３ｂの中央領域を通して上へ抜き出た領域を他方の把持域２０ｂとして設ける。
【００２２】
袋体２は従来の手提げ紙袋と同じ素材同じ構造であることが望ましいので、両横面に位置する襠壁７は従来と同じ折り畳み構造を成しており、具体的に述べるならば、該襠壁７の中央を天地に縦断する谷折線で襠縦折線２２を入れ、襠壁７の底辺を底辺とする略直角三角形の領域を三角域２３とし、該三角域２３の斜辺を三角折線２４とし、該三角域２３の頂点から背壁６方向へ略水平に伸びた山折線を襠横折線２５とし、面対象で対面している該襠壁７どうしで、一方の襠壁７ａと面対象となる他方の襠壁７ｂでも前記折り畳み構造は面対象の同じ構造にして形成されている。
【００２３】
図２は蓋閉じ状態の要部透視正面斜視図である。前壁５の背面である袋体２の内側へ一方の差込片１２ａを差し込んで蓋板４の閉じ状態は固定され、該一方の差込片１２ａを部分的に切り抜いて一方の蓋折線１１ａに延設された跨ぎ片１４が前壁５の天縁を正面へ跨いでいるので該蓋板４の正面領域が袋体２の中へ落ち込むのを防止している。
【００２４】
該跨ぎ片１５の個数は限定ではなく複数個であっても良いが単数であることが望ましく、該跨ぎ片１５の形成箇所は限定ではないが一方の蓋折線１１ａの略中央から正面へ向けて延設する構造であることが望ましく、該跨ぎ片１５の形状は限定ではないが両横縁は適宜な範囲で並行縁を成し先縁は略半円形の円周縁であることが望ましく、該跨ぎ片１５の大きさは限定ではないが成人男性の平均的な親指サイズ程度であることが望ましい。
【００２５】
跨ぎ片１４の切り抜き跡を抜け跡穴２６とし、蓋板４の閉じ状態で該抜け跡穴２６と重なり合う前壁５の上部中央に他方の固定具１５ｂを取り付け、跨ぎ片１４に取り付けられた一方の固定具１５ａとの組み合わせで固定することによって該跨ぎ片１４は固定され、該跨ぎ片１４の固定によって蓋板４の閉じ状態が固定される。
【００２６】
該固定具１５の固定構造は限定ではなく、面ファスナーであっても良いが凹部へ凸部が嵌め込まれる構造のスナップボタンであることが望ましく、凹部凸部の位置関係は限定ではないが、本体１に取り付ける市販のスナップボタンは凹部の背部が表になっているので表に位置する一方の固定具１５ａを凹部のスナップボタンにし、他方の固定具１５ｂを凸部のスナップボタンにすることが望ましい。
【００２７】
壁穴１６は出壁穴１７と入壁穴１８とのペアで設けられており、該出壁穴１７は該入壁穴１８よりも下に位置しており、下に位置している該出壁穴１７で玉結び１９ａが固定されているので、前壁５の背面へ一方の差込片１２ａを差し込む過程で、該一方の差込片１２ａは玉結び１９に当たることなく上に位置する入壁穴１８を擦り抜けることができ、該一方の差込片１２ａの先縁（下縁）の先に該玉結び１９が位置しているので、該差込片１２ａと該玉結び１９が接するのを回避できる。
【００２８】
入壁穴１８の外（袋体２の外）に玉結び１９を形成しても前壁５の背面に差し込まれる一方の差込片１２ａが接するのを回避できるが、該玉結び１９が外に出ていると見た目が悪く、出壁穴１７から袋体２の内側へ該玉結び１９を入れたことで該玉結び１９は外から見えなくなるので、本体１の見た目が良くなる。
【００２９】
一方の入壁穴１８ａと他方の入壁穴１８ｂとの間に位置する紐３の中央領域は袋開口部９から上へ抜き出ることで把持域２０となり、正面に位置する一方の把持域２０ａは前壁５の上部背面と一方の差込片１２ａとの隙間から抜き出る構造を成している。
【００３０】
蓋板４の背辺である他方の蓋折線１１ｂは背壁６の上縁に接着されてヒンジ部１３となっているので他方の紐３ｂが上へ抜き出る隙間を有しておらず、該ヒンジ部１３と隣接する蓋板４の背部領域に一方の紐蓋穴２１ａと他方の紐蓋穴２１ｂとの二箇所を開けて他方の紐３ｂの中央領域を通して袋開口部９から上へ抜き出せる構造にして他方の把持域２０ｂを形成する。
【００３１】
蓋板４の両横縁を僅かに突出させて凸縁１０を形成し、該凸縁１０の突出は限定ではないが二ミリ程度もあれば充分であり、一方の凸縁１０ａは一方の襠壁７ａの上縁に乗り、他方の凸縁１０ｂは他方の襠壁７ｂの上縁に乗ることで該蓋板４の両横縁が袋体２の中へ落ち込むのを防止できる構造になる。
【００３２】
図３は蓋閉じ状態の要部透視背面斜視図である。開口部９を形成している袋体２の天縁は折り返しのない単層であっても良いが袋折された縁であることが望ましいが、天縁が袋折された袋体２である紙袋は従来技術であることから天縁の袋折領域の図示は省略することにしており、天縁の袋折領域の図示を省略することで要部である差込片１２を明瞭に図示することができる。
【００３３】
蓋板４の背辺である他方の蓋折線１１ｂを介して延設されて折垂らされた他方の差込片１２ｂを背壁６の上部の内側（前面）に接着することで他方の蓋折線１１ｂはヒンジ部１３と成る。
【００３４】
袋開口部９の背縁と略同一線上でヒンジ部１３が形成されているので該袋開口部９の背縁は閉じており、該ヒンジ部１３との隣接領域である蓋板４の背部領域に紐蓋穴２１を二箇所開けて他方の紐３ｂを通してアーチ状に上へ出ている他方の紐３ｂの中央領域を他方の把持域２０ｂとし、該二箇所有している紐蓋穴２１で背壁６に向かって右側を一方の紐蓋穴２１ａとし左側を他方の紐蓋穴２１ｂとする。
【００３５】
他方の紐３ｂを通すために背壁６に開けられた壁穴１６は前壁５と面対象の対で設けられ、対の場合は補助符号の後ろへ´を付けるのであり、前壁５に対して背壁６で対となる一方で対の入壁穴１８ａ´の下へ一方で対の出壁穴１７ａ´を設け、他方で対の入壁穴１８ｂ´の下へ他方で対の出壁穴１７ｂ´を設ける。
【００３６】
背部に位置する他方の差込片１２ｂは背壁６の上部に接着固定されているので一方で対の入壁穴１８ａ´と他方で対の入壁穴１８ｂ´と重なる位置で該他方の差込片１２ｂに穴を開けて他方の紐３ｂを通す構造にする。
【００３７】
他方の紐３ｂの通し構造を述べるならば、一方で対の出壁穴１７ａ´の内側（前面）に位置する一方で対の玉結び１９ａ´から一方で対の出壁穴１７ａ´から出た他方の紐３ｂの他方の端を上に位置する一方で対の入壁穴１８ａ´から中（以降背壁の前を中とする）へ入れて、一方の紐蓋穴２１ａから上へ出して、他方の紐蓋穴２１ｂから下へ入れて、他方で対の入壁穴１８ｂ´から外へ出して、他方で対の出壁穴１７ｂ´から中へ入れた他方の紐３ｂの端に他方で対の玉結び１９ｂ´を形成して固定する。
【００３８】
襠壁７の底辺を同じ底辺とする三角域２３の頂点から背壁６方向へ略水平な山折線である襠横折線２５の背端どうしを結ぶ谷折線で背横折線２７を設ける。袋体２の折り畳み構造は従来技術の応用であるが具体的に述べるならば、三角域２３の斜辺である三角折線２４を谷折することで襠横折線２５は山折になるのと連動して、襠縦折線２２は谷折になり、最終的に背横折線２７が谷折になって該袋体２は折り畳まれて平らになる。
【００３９】
上記の袋体２の折り畳み構造実現のために襠縦折線２２は谷折にされていることから蓋板４の両横縁は襠壁７の天縁に乗った状態で維持されているが、該蓋板４の両横縁の各々を一方の凸縁１０ａと他方の凸縁１０ｂとの適宜な突出によって、該蓋板４の両横縁は襠壁７の天縁に乗った状態が更に安定するので、該蓋板４が袋体２の中へ落ち込むのを防止する能力が更に高まる。
【００４０】
壁穴１６は打ち抜いただけの円形穴であっても良いが、該壁穴１６にハトメと称する従来技術の金具を嵌め込んで固定する構造であることが望ましく、該壁穴１６にハトメを取り付けたことで紐３の滑りが良くなると同時に見た目も良くなり、高級なイメージを高めることができる。
【００４１】
該壁穴１６の一部分である一方で対の入壁穴１８ａ´と他方で対の入壁穴１８ｂ´にハトメが取り付けられているので、該ハトメによって他方の差込片１２ｂも固定できるのであり、該他方の差込片１２ｂは該ハトメだけで固定されていても良いが、背壁６の前面（内側）上部に接着して固定する構造であることが望ましく、接着固定である方が見た目も良くなり、高級なイメージを高めることができる。
【００４２】
底板８は従来の手提げ紙袋と同じ構造の物であることから図示を省いたが、具体的に述べるならば、該底板８を形成する前の袋体２は略矩形筒であり、該矩形筒で襠壁７の下辺から下へ延設されている領域を内側へ略直角に折り曲げることで前壁５と背壁６との下辺に略台形板が形成されて延設されており、該台形板の双方を内側へ略直角に折り曲げて重なり合った領域を接着することで該底板８は形成される。
【産業上の利用可能性】
【００４３】
本発明は、紙箱として使用することもできる。
【符号の説明】
【００４４】
１              本体
２              袋体
３ａ、３ｂ      紐
４              蓋板
５              前壁
６              背壁
７ａ、７ｂ      襠壁
８              底壁
９              袋開口部
１０ａ、１０ｂ  凸縁
１１ａ、１１ｂ  蓋折線
１２ａ、１２ｂ  差込片
１３            ヒンジ部
１４            跨ぎ片
１５ａ、１５ｂ  固定具
１６            壁穴
１７ａ、１７ｂ  出壁穴
１８ａ、１８ａ  入壁穴
１９ａ、１９ｂ  玉結び
２０ａ、２０ｂ  把持域
【図１】
2017052536.tif 000003
【図２】
2017052536.tif 000004
【図３】
2017052536.tif 000005
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
前後で対面する前壁と背壁の両側へ一方と他方の襠壁を延設して形成した略矩形筒の下端を底板で塞いで袋体を形成し、該袋体の天面は開口しており、該開口領域を袋開口部とし、該袋開口部は蓋板によって閉じられる構造を成し、該蓋板が該袋体の中へ落ち込まない構造として、背壁の天縁に隣接された他方の蓋折線をヒンジ部とし、該ヒンジ部を介して延設された蓋板の前辺である一方の蓋折線を介して折垂らされた一方の差込片を部分的に切り抜いて跨ぎ片を設け、該跨ぎ片の上辺基部は該一方の蓋折線に延設されており、該跨ぎ片が前壁の天縁を跨いた状態を固定するために該跨ぎ片に一方の固定具を設け、該前壁の外面に他方の固定具を設けたことを特徴とする蓋付き手提げ袋。
【手続補正２】
【補正対象書類名】明細書
【補正対象項目名】０００３
【補正方法】変更
【補正の内容】
【０００３】
【特許文献１】実開昭６３−１６９４５１号
【特許文献２】実開平３−８４７５４号
【特許文献３】実開平６３−５９８４１号
【特許文献４】特開平１１−１１３６１６号
【特許文献５】実開平２−１５４３５号
【特許文献６】実開平２−８７４０号
【特許文献７】実開昭６１−１６６９２１号
【特許文献８】実登録３１２５９７０号